(57)【特許請求の範囲】
【請求項１】
水を飲用可能なコック（１２）が設けられた筐体（１０）の前面に設けられ、前記コック（１２）を覆うカバー（２０）を有する浄水器及び冷温水器のコックカバー装置において、
前記カバー（２０）の内面の中央に垂直に立てられた状態に配置され、末端は前記カバー（２０）の下端から突き出しているブラケット（２６）に固定されて取り付けられた前記カバー（２０）の動作に伴い垂直移動を行うセンターフレーム（３２）と、
前記センターフレーム（３２）の両側にそれぞれ配置され、末端は前記筐体（１０）にヒンジ（４０、４２）で組み付けられて前記ヒンジ（４０、４２）を中心として回転動作を行う第１及び第２の回転フレーム（３６、３８）と、
前記第１及び第２の回転フレーム（３６、３８）の外周にそれぞれ嵌められ、先端が、前記センターフレーム（３２）に備えられるホルダー（３４）に嵌められた状態にて、互いにピン（４８）で組み付けられており、前記センターフレーム（３２）の垂直移動に伴って引っ張られ、前記第１及び第２回転フレーム（３６、３８）の外周からそれぞれ引き出される第１及び第２のスライド管（４４、４６）と、
前記スライド管（４４、４６）と前記回転フレーム（３６、３８）との間に嵌められ、前記第１及び第２スライド管（４４、４６）の移動を助けるように弾力的に支持するばね（５０、５２）と
からなるリフティング手段（３０）をさらに備えることを特徴とする浄水器及び冷温水器のコックカバー装置。
【請求項２】
前記リフティング手段（３０）の後方には、前記カバー（２０）の動作を拘束するロック手段（６０）がさらに備えられることを特徴とする請求項１に記載の浄水器及び冷温水器のコックカバー装置。 
【請求項３】
前記ロック手段（６０）は、
前記筐体（１０）の後方に設けられているプレート（１４）の中央を貫いて設けられた通路部（１６）と、
先端は前記通路部（１６）を貫通し、末端は前記カバー（２０）のブラケット（２６）を貫通した状態に設けられる回動軸（６２）と、
前記回動軸（６２）の下端部に備えられており、前記ブラケット（２６）の底面に引っ掛けられた状態にて前記回動軸（６２）について正回転及び逆回転を行わせる取っ手（６４）と、
前記回動軸（６２）の周面から突き出しており、前記回動軸（６２）の回動動作による選択にしたがい、前記通路部（１６）が設けられたプレート（１４）の底面に引っ掛けられるリブ（６６）と、
を備えることを特徴とする請求項２に記載の浄水器及び冷温水器のコックカバー装置。
【発明の詳細な説明】
【技術分野】
【０００１】
本発明は、浄水器及び冷温水器のコックカバー装置に関する。詳しくは、外部に露出しているコックの汚染を防ぐことのできる、浄水器及び冷温水器のコックカバー装置に関する。
【背景技術】
【０００２】
周知の如く、浄水器は、水中に含有されている有害物質をろ過して水を浄化する器具であり、家庭や会社などにおいて水道水を沸騰させる煩雑さなしに直接飲用できるように考案された装置のことをいう。冷温水器は、冷却及び温水システムを備え、ミネラルウォータタンクに貯溜されているミネラルウォータを、所定の温度まで冷却及び加熱することにより、消費者に冷水と温水を簡便に提供できるように構成したものである。このような浄水器及び冷温水器への関心は、産業の発達に伴う水質汚染の深刻性が注目を浴びるのに伴い、益々高まりつつある。
【０００３】
一例として、浄水器の一般的な構造を述べるならば、(1) 矩形状で中空の筐体と、(2) この筐体内に設けられ、水道管を通じて供給された原水中に含有されている有害物質を除去して浄化するための多数のフィルタ部材と、(3) これらフィルタ部材を順次に通過することで浄化された水を受け入れて、それぞれ冷却及び加熱する冷水タンク及び温水タンクなどの浄水タンクと、(4) 前記筐体の外部に取り付けられ、前記冷水タンクと温水タンクにそれぞれ接続されて冷水及び温水を外部に排出する冷水及び温水のコックと、を備える。
【０００４】
一方、上述した構成要素のうち、コックは、本体の外部に直接露出していることから、異物や細菌によって汚染される虞があるだけでなく、各種の虫の出入りによって病原菌が繁殖する虞があるという問題点がある。しかも、幼児が温水コックに手を触れた場合に、ともすれば温水の熱でやけどを負うなどといった、各種の不注意による事故が発生するという問題点があった。
【０００５】
上述したような問題点を解消するための先行技術としては、大韓民国特許KR10-0650666B（名称：汚染防止用コックを備える浄水器）を例として挙げることができる。
【０００６】
上記の先行技術は、本体と、ユーザの信号を受信する信号受信部と、少なくとも一端を前記本体の内部及び外部へと引っ込め及び引き出しが可能なコックと、前記信号受信部から信号を受信して前記コックの少なくとも一端について、前記本体の内部及び外部への引っ込め及び引き出しを行わせる駆動部と、を備えることを技術的要旨とする。
【０００７】
しかしながら、上記の先行技術に記載の、汚染防止用コックを備える浄水器の場合には、電気的な構造から、機器の誤作動が頻発するのであるが、特に、使用中に駆動部が誤作動を引き起こす場合、コックの引き出し自体が不可能となり水を飲用することができないという問題点がある。
【先行技術文献】
【特許文献】
【０００８】
【特許文献１】大韓民国特許出願公開KR10-2011-0115673A
【特許文献２】大韓民国実用新案登録KR20-0311694Y
【特許文献３】大韓民国実用新案登録KR20-0289304Y
【特許文献４】大韓民国特許出願公開KR10-2011-0115673A
【発明の概要】
【発明が解決しようとする課題】
【０００９】
本発明は上述した問題点を解消するためのものであり、その目的は、コックの前面をカバーで覆った状態にて、このカバーの上下動にしたがってコックを外部に露出させて水を飲用できるようにすることで、コックが外部に露出することによる汚染を防ぐことのできる浄水器及び冷温水器のコックカバー装置を提供するところにある。
【００１０】
本発明の他の技術的課題は、必要に応じて、ロック装置を用いてカバーの上下動を拘束することにより、幼児が温水コックを誤って押して火傷を負うなどといった不注意による事故を未然に防ぐことのできる浄水器及び冷温水器のコックカバー装置を提供するところにある。
【課題を解決するための手段】
【００１１】
上述した目的を達成するために、本発明の浄水器及び冷温水器のコックカバー装置は、水を飲用可能なコックが設けられた筐体の前面に設けられて、前記コックを覆う、浄水器及び冷温水器のコックカバー装置において、下記からなるリフティング手段を備えることを特徴とする。すなわち、備えられるリフティング手段は、(1) 前記カバーの内面中央に、垂直に立てられた状態に配置され、末端は前記カバーの下端に突き出しているブラケットに固定設置され、前記カバーの動作にしたがって垂直移動するセンターフレームと、(2) 前記センターフレームの両側にそれぞれ配置され、先端が、前記筐体にヒンジで組み付けられて前記ヒンジを中心として回転動作する第１及び第２回転フレームと、(3) 前記第１及び第２回転フレームの外周に嵌められ、先端は前記センターフレームに備えられるホルダーに嵌められた状態にてピンで組み付けられて前記センターフレームの垂直移動にしたがって引っ張られ、前記第１及び第２回転フレームの外周から引き出される第１及び第２スライド管と、(4) 前記第１及び第２スライド管と、前記第１及び第２回転フレームとの間に嵌められ、前記第１及び第２スライド管の移動を弾力的に支えるばねと、からなる。
【００１２】
好ましくは、前記リフティング手段の後方には、前記カバーの動作を拘束するロック手段がさらに設けられる。
【００１３】
また、好ましくは、前記ロック手段は、(1) 前記筐体の後方に設けられているプレートの中央を貫いて設けられた通路部と、(2) 先端は前記通路部を貫通し、末端は前記カバーのブラケットを貫通した状態に設けられる回動軸と、(3) 前記回動軸の下端部に備えられ、前記ブラケットの底面に引っ掛けられた状態で前記回動軸を正逆転させる取っ手と、(4) 前記回動軸の周面から突き出し、前記回動軸の回動動作にしたがい選択的に、前記通路部が設けられたプレートの底面に引っ掛けられるリブと、を備える。
【発明の効果】
【００１４】
本発明によれば、コックの前面をカバーで覆った状態で、前記カバーの上下動につれてコックを外部に露出させて水を飲用できるようにすることで、コックの外部への露出による汚染を防ぐことができる。
【００１５】
また、本発明によれば、ロック装置を用いてカバーの上下動を拘束して、幼児が温水コックを誤って押して火傷を負うなどといった不注意による事故を未然に防ぐことができる。
【図面の簡単な説明】
【００１６】
【図１】本発明による浄水器のコックカバー装置の全体構成を示す図である。
【図２】図１に示すコックカバー装置におけるリフティング手段の構成を抜粋して立体的に示す図である。
【図３】図２に示すリフティング手段の背面立体図である。
【図４】図２に示すリフティング手段の背面図である。
【図５】図４に示すリフティング手段の動作状態図である。
【図６】本発明によるコックカバー装置におけるロック手段の構成を詳細に示す図である。
【発明を実施するための形態】
【００１７】
本発明は、水を飲用可能なコック１２が設けられた筐体１０の前面に設けられ、前記コック１２を覆うカバー２０を備える浄水器及び冷温水器のコックカバー装置において、次のようなリフティング手段３０をさらに備えることを特徴とする。すなわち、さらに備えられるリフティング手段３０は、(1) 前記カバー２０の内面の中央に垂直に立てた状態に配置され、末端は前記カバー２０の下端にて突き出しているブラケット２６に固定設置され、前記カバー２０の動作にしたがって垂直移動するセンターフレーム３２と、(2) このセンターフレーム３２の両側にそれぞれ配置され、末端は前記筐体１０にヒンジ４０、４２で組み付けられ、前記ヒンジ４０、４２を中心に回転動作を行う第１及び第２回転フレーム３６、３８と、(3) 前記第１及び第２回転フレーム３６、３８の外周に嵌められ、先端は前記センターフレーム３２に備えられているホルダー３４に嵌め込まれた状態で互いにピン４８で組み付けられ、前記センターフレーム３２の垂直移動に伴って引っ張られ、前記第１及び第２回転フレーム３６、３８の外周から引き出される第１及び第２スライド管４４、４６と、(4) 前記第１及び第２スライド管４４、４６と、前記第１及び第２回転フレーム３６、３８との間に嵌められ、前記第１及び第２スライド管４４、４６の移動を弾力的に支えるばね５０、５２とからなる。
【００１８】
以下、本発明の実施形態について、添付の図面を参照して説明するならば、下記のとおりである。後述する詳細な説明においては、上述した技術的課題を達成するために、本発明における２つの実施形態について、代表例として提示する。なお、本発明で提示し得る他の複数の実施形態については、本発明の構成における説明により代替する。
【００１９】
以下の実施形態においては、本発明によるコックカバー装置が、浄水器に設けられた場合を例にとって説明するが、同じ技術構造にして冷温水器にも組み付けて使用可能であることはいうまでもない。
【００２０】
図１には、本発明による浄水器のコックカバー装置の全体構成を示す。図１に示すように、浄水器は、(1) 矩形状の中空筐体１０と、(2) 前記筐体１０内に設けられ、水道管を通じて供給される原水中に含有されている有害物質を除去して浄化させる多数のフィルタ部材（図示せず）と、(3) 前記フィルタ部材を順次に通過しながら浄化された水の供給を受けて、それぞれ冷却及び加熱を行う冷水タンク及び温水タンクといった浄水タンク（図示せず）と、(4)前記筐体の前面に取り付けられ、前記の冷水タンク及び温水タンクにそれぞれ接続されて冷水及び温水を外部に排出するコック１２と、を備える。
【００２１】
一方、前記コック１２が設けられた筐体１０の前面には、カバー２０が設けられる。このカバー２０は、コック１２が外部に露出されないように覆った状態から、浄水された水を飲用しようとするときに上昇し、コック１２を外部に露出させる。ここで、前記カバー２０の内面の両側にはガイドレール２２を形成し、前記カバー２０が配置される筐体１０の前面の両側には、前記ガイドレール２２に突き合わせられる他のガイドレール２４を形成することで、前記カバー２０の上下移動をガイドする。
【００２２】
前記カバー２０の内面には、前記カバー２０を上下移動自在に支持するリフティング手段３０が設けられる。
【００２３】
図２は、図１に示すコックカバー装置におけるリフティング手段の構成を抜粋して立体的に示す図である。図３は、図２に示すリフティング手段の背面立体図である。図４は、図２に示すリフティング手段の背面図である。
【００２４】
図２から図４に示すように、前記リフティング手段３０は、センターフレーム３２と、第１及び第２回転フレーム３６、３８と、第１及び第２スライド管４４、４６とを備える。
【００２５】
前記センターフレーム３２は、前記カバー２０の内面に垂直に立てた状態に配置されるものであり、末端は前記カバー２０の下端から延びるように設けられているブラケット２６に固定して取り付けられる。このセンターフレーム３２の先端には、ホルダー３４が備えられ、このホルダー３４の両側には、第１及び第２スライド管４４、４６の先端が、それぞれ嵌め込まれた状態にてピン４８で組み付けられる。
【００２６】
前記第１及び第２回転フレーム３６、３８は、前記センターフレーム３２の両側にそれぞれ配置されるフレームである。前記第１及び第２回転フレーム３６、３８の末端は、筐体１０にヒンジ４０、４２で組み付けられ、前記カバー２０の昇降動作時に前記ヒンジ４０、４２を中心として回転動作を行う。
【００２７】
前記第１及び第２スライド管４４、４６は、前記第１及び第２回転フレーム３６、３８のそれぞれの外周に摺動可能に嵌められる管である。前記第１スライド管４４と前記第１回転フレーム３６との間、及び前記第２スライド管４６と前記第２回転フレーム３８との間には、ばね５０、５２がそれぞれ嵌められている。前記ばね５０、５２は、前記第１及び第２スライド管４４、４６の移動を弾力的に支える。
【００２８】
前記第１及び第２スライド管４４、４６の先端は、上述したセンターフレーム３２のホルダー３４に嵌められる。ここで、前記第１及び第２スライド管４４、４６の先端には、孔４４ａ、４６ａをそれぞれ形成する。この後、前記孔４４ａ、４６ａを重ね合わせた状態にてピン４８で組み付けて、前記第１及び第２スライド管４４、４６の先端を前記センターフレーム３２のホルダー３４に連結する。
【００２９】
上記の構成のリフティング手段３０は、カバー２２を把持した状態で上昇させると、図５に示すように、前記カバー２２のブラケット２６に取り付けられているセンタープレート（センターフレーム）３２が上昇する。これに伴い、第１及び第２回転フレーム３６、３８に嵌められている第１及び第２スライド管４４、４６の先端は、前記センタープレート３２のホルダー３４にピン４８で組み付けられた状態にて、前記センタープレート（センターフレーム）３２の上昇動作にしたがって持ち上げられる。これと同時に、前記第１及び第２スライド管４４、４６が嵌められている第１及び第２回転フレーム３６、３８は、末端に組み付けられたヒンジ４０、４２を中心に回転動作を行う。
【００３０】
前記第１及び第２スライド管４４、４６が所定の角度以上に持ち上げられた後には、前記第１及び第２スライド管４４、４６と、前記第１及び第２回転フレーム３６、３８との間に嵌められているばね５０、５２のテンション力が働いて前記第１及び第２スライド管４４、４６を押し付ける。これにより、センタープレート（センターフレーム）３２は一層速やかに上昇するのであり、カバー２０を前記ばね５０、５２のテンション力によって上昇させることが可能になる。
【００３１】
一方、前記リフティング手段３０の後方には、別途のロック手段６０がさらに含まれる。このロック手段６０は、幼児がカバー２０を上昇させて温水コック１２を誤作動してやけどを負うなどといった不注意による事故が発生しないようにカバー２０を拘束する手段である。
【００３２】
図６は、ロック手段の構成を詳細に示す図である。図６に示すように、このロック手段６０は、(1) 前記筐体１０の後方に設けられているプレート１４の中央を貫いて設けられた通路部１６と、(2) 先端は前記通路部１６を貫通し、末端は前記カバー２０のブラケット２６を貫通した状態に設けられる回動軸６２と、(3) 前記回動軸６２の下端部に配備され、前記ブラケット２６の底面に係止された状態で前記回動軸６２を正逆転させる取っ手６４と、(4) 前記回動軸６２の周面に突出され、前記回動軸６２の回動動作にしたがって選択的に、前記通路部１６が設けられたプレート１４の底面に引っ掛けられるリブ６６と、を備える。
【００３３】
前記ロック手段６０は、取っ手６４を把持して回動軸６２を回転させると、前記回動軸６２のリブ６６が、前記通路部１６を備えるプレート１４の底面に引っ掛けられた状態となる。これにより、カバー２０の動作を拘束することができる。また、カバー２０を動作させる際には、取っ手６４を逆方向に回して回動軸６２を逆方向に回転させると、リブ６６が通路部１６を抜け出ることにより、カバー２０の動作拘束を解除することができる。
【００３４】
以下、本発明に係る浄水器のコックカバー装置の動作について、添付の図１から図６に基づいて説明する。
【００３５】
まず、カバー２０によって覆われているコック１２を外部に露出させて水を飲用しようとするときには、カバー２０を把持した状態で押し上げると、前記カバー２０のブラケット２６に設けられているセンターフレーム３２が上昇する。これに伴い、第１及び第２回転フレーム３６、３８に嵌められている第１及び第２スライド管４４、４６は、先端が、前記センターフレーム３２のホルダー３４にピン４８で組み付けられた状態にて、前記センターフレーム（センタープレート）３２の上昇動作につれて持ち上げられる。
【００３６】
これと同時に、前記第１及び第２スライド管４４、４６が嵌められている第１及び第２回転フレーム３６、３８は、末端に組み付けられたヒンジ４０、４２を中心として回転動作を行う。
【００３７】
そして、前記第１及び第２スライド管４４、４６が所定の角度以上に持ち上げられた後には、前記第１及び第２スライド管４４、４６と、前記第１及び第２回転フレーム３６、３８との間に嵌められているばね５０、５２のテンション力が働いて、前記第１及び第２スライド管４４、４６を弾力的に押し付ける。これに伴い、センターフレーム（センタープレート）３２は一層速やかに垂直移動するのであり、カバー２０を上昇させることが可能になる。
【００３８】
前記リフティング手段３０を用いてカバー２０を上昇させた後、露出されたコック１２を用いて水を飲用することが可能になる。
【００３９】
一方、幼児がカバー２０を上昇させて温水コック１２を誤動作して火傷を負うなどといった不注意による事故が発生しないようにカバー２０を拘束しようとする際には、ロック手段６０である取っ手６４を把持して回動軸６２を回転させる。すると、前記回動軸６２は、筐体１０の後方のプレート１４に形成されている通路部１６を貫通した状態にて回動動作を行う。この際、前記回動軸６２の周面に突き出して設けられているリブ６６は、前記通路部１６の底面に係止された状態になることにより、カバー２０が動作しないように拘束することが可能になる。
【産業上の利用可能性】
【００４０】
本発明によれば、コックの前面をカバーで覆った状態から、前記カバーの上下動に伴いコックを外部に露出させて水を飲用できるようにすることで、コックの外部への露出による汚染を防ぐことができる。また、ロック装置を用いてカバーの上下動を拘束して、幼児が温水コックを誤って押して火傷を負うなどといった不注意による事故を未然に防ぐことができる。このような相乗効果が得られる。
【符号の説明】
【００４１】
１２…コック；        １４…プレート；      １６…通路部；  
２０…カバー；        ２６…ブラケット；    ３０…リフティング手段；  
３２…センターフレーム（センタープレート）；    ３４…ホルダー；  
３６…第１回転フレーム；    ３８…第２回転フレーム；  
４０、４２…ヒンジ；    ４４…第１スライド管；      ４６…第２スライド管；  
４８…ピン；            ５０、５２…ばね；        ６０…ロック手段；  
６２…回動軸；          ６４…取っ手  
【図１】
0005740538.tif 000002
【図２】
0005740538.tif 000003
【図３】
0005740538.tif 000004
【図４】
0005740538.tif 000005
【図５】
0005740538.tif 000006
【図６】
0005740538.tif 000007